(57)【特許請求の範囲】
【請求項１】
戸袋と、前記戸袋に進退自在に支持された扉体とを備える可動式ホーム柵であって、
前記扉体は、額縁形のフレームと、支持枠と、透明部材と、戸先ゴムを備え、
前記フレームは、戸先側の端面に開口する第１の挿入口を備え、
前記透明部材は、前記支持枠に嵌合して保持されて、前記支持枠と共に戸先側から前記第１の挿入口に挿入されて、前記フレームの内部に取り付けられ、
前記戸先ゴムは、一部が前記第１の挿入口に挿入されて、前記扉体の戸先側の端部に取り付けられている
可動式ホーム柵。
【請求項２】
戸袋と、前記戸袋に進退自在に支持された扉体とを備える可動式ホーム柵であって、
前記扉体は、フレームと、支持枠と、透明部材と、戸先ゴムを備え、
前記フレームは、戸先側の端面に開口する第１の挿入口を備え、
前記透明部材は、前記支持枠に嵌合して保持されて、前記支持枠と共に戸先側から前記第１の挿入口に挿入されて、前記フレームの内部に取り付けられ、
前記戸先ゴムは、一部が前記第１の挿入口に挿入されて、前記扉体の戸先側の端部に取り付けられ、
前記支持枠は、戸先側の端面に開口する第２の挿入口を備え、
前記透明部材は、戸先側から前記第２の挿入口に挿入されて前記支持枠に取り付けられる
可動式ホーム柵。
【請求項３】
戸袋と、前記戸袋に進退自在に支持された扉体とを備える可動式ホーム柵であって、
前記扉体は、フレームと、支持枠と、透明部材と、戸先ゴムを備え、
前記フレームは、戸先側の端面に開口する第１の挿入口を備え、
前記支持枠は、戸先側の端面に開口する第２の挿入口を備え、
前記透明部材は、戸先側から前記第２の挿入口に挿入されて前記支持枠に取り付けられて、前記支持枠と共に戸先側から前記第１の挿入口に挿入されて前記フレームの内部に取り付けられ、
前記戸先ゴムは、一部が前記第１の挿入口に挿入されて、前記扉体の戸先側の端部に取り付けられている
可動式ホーム柵。
【請求項４】
前記支持枠は、前記フレームと前記戸先ゴムの間で挟持されて、前記フレームに固定されている
請求項１から請求項３のいずれか一項に記載の可動式ホーム柵。
【請求項５】
戸袋と、前記戸袋に進退自在に支持された扉体とを備える可動式ホーム柵であって、
前記扉体は、額縁形のフレームと、透明部材と、戸先ゴムを備え、
前記フレームは、戸先側の端面に開口する第１の挿入口を備え、
前記透明部材は、戸先側から前記第１の挿入口に挿入されて前記フレームの内部に直接取り付けられ、
前記戸先ゴムは、一部が前記第１の挿入口に挿入されて、前記扉体の戸先側の端部に取り付けられている
可動式ホーム柵。
【請求項６】
前記第１の挿入口から前記戸先ゴムを引き抜いて、前記第１の挿入口を開放するステップと、
前記第１の挿入口を通して前記フレームから古い透明部材を引き出すステップと、
前記第１の挿入口を通して前記フレームに新しい透明部材を挿入するステップと、
前記第１の挿入口に前記戸先ゴムを取り付けるステップと、
を含む請求項１から請求項５のいずれか一項に記載の可動式ホーム柵の透明部材交換方法。
【発明の詳細な説明】
【技術分野】
【０００１】
本発明は、鉄道駅のプラットホーム等に設置される可動式ホーム柵及び可動式ホーム柵の透明部材交換方法に関する。
【背景技術】
【０００２】
可動式ホーム柵は、鉄道駅のプラットホームに設置されて、プラットホームと軌道を隔離する転落防止柵であって、自動的に開閉される扉体を備えている。扉体は、乗客の列車への乗降時には開扉され、それ以外の場合には閉扉される（例えば、特許文献１）。要するに、可動式ホーム柵は、一種の自動ドア装置であると言うことができる。
【０００３】
可動式ホーム柵の扉体の一部を透明部材で構成することがある。扉体の一部を透明部材で構成すると、扉体が閉扉されていても、扉体を通してプラットホームから軌道を見通すことができる（例えば、特許文献２）。
【０００４】
透明部材には強化ガラスやアクリル樹脂等が使用されるが、これらの素材は、可動式ホーム柵の他の部材と比較して破損しやすい。そのため、透明部材を備える可動式ホーム柵は、透明部材を容易に交換できるように構成する必要がある。
【０００５】
例えば、特許文献３に開示された可動式ホーム柵（プラットホームドア装置）は、扉体の戸先側の端部に取り付けられた蓋部材を取り外せば、透明部材を戸先側にスライドさせて、扉体の外に取り出すことができるように構成されている。この構成によれば透明部材の交換作業を簡易化できると、特許文献３は主張している（特許文献３、第００５８段落）。
【先行技術文献】
【特許文献】
【０００６】
【特許文献１】特開２００５−３２４５６２号公報
【特許文献２】特開２００９−２８０１７９号公報
【特許文献３】特許第５６２３８３０号公報
【発明の概要】
【発明が解決しようとする課題】
【０００７】
特許文献３に記載の可動式ホーム柵の扉体を構成する枠体は、上側フレーム、下側フレーム及び奥側フレームを備えていて、戸先側が開放された「コ」字形に構成されている。また、蓋部材は上側フレームと下側フレームの戸先側の端部に取り付けられて、「コ」字形の枠体の開放端を塞いでいる。そのため、枠体に蓋部材を取り付けると、全体として額縁形又は「ロ」字形のフレームが構成される。透明部材は４辺を上側フレーム、下側フレーム、奥側フレーム及び蓋部材に支持されて、扉体に固定される。
【０００８】
このように、蓋部材を枠体に取り付けた状態では、上側フレームと下側フレームの戸先側の端部は蓋部材に支持されているが、蓋部材を枠体から取り外すと、上側フレームと下側フレームの戸先側の端部は支持点を失う。そのため、蓋部材を枠体から取り外すと、上側フレームは、自重によって撓み、戸先側の端部が垂れ下がる。下側フレームも、自重と透明部材の重量によって撓み、戸先側の端部が垂れ下がる。したがって、透明部材の交換後に、蓋部材をフレーム本体に取り付ける際には、作業者は、垂れ下がった上側フレームと下側フレームの戸先側の端部を持ち上げて、元に戻す必要がある。上側フレームと下側フレームの撓みを人力で修正して、蓋部材を取り付けることは容易ではなく、作業者の肉体的、精神的負担が大きい。このように、特許文献３に開示された可動式ホーム柵における透明部材の交換作業は、容易ではない。
【０００９】
本発明は、このような背景に基づいてなされたものであり、透明部材の交換が容易な可動式ホーム柵、及び可動式ホーム柵の透明部材交換方法を提供することを目的とする。
【課題を解決するための手段】
【００１０】
上記目的を達成するために、本発明に係る可動式ホーム柵は、戸袋と、戸袋に進退自在に支持された扉体とを備える可動式ホーム柵であって、扉体に、額縁形のフレームと、支持枠と、透明部材と、戸先ゴムを備えるものである。フレームは、戸先側の端面に開口する第１の挿入口を備え、透明部材は、支持枠に嵌合して保持されて、支持枠と共に戸先側から第１の挿入口に挿入されて、フレームの内部に取り付けられる。そして、戸先ゴムは、一部が第１の挿入口に挿入されて、扉体の戸先側の端部に取り付けられている。    
【発明の効果】
【００１１】
本発明に係る可動式ホーム柵は、フレームから戸先ゴムを取り外すだけで、透明部材を交換できる。また、戸先ゴムはフレームの形状の維持に直接関与しないので、フレームから戸先ゴムを外しても、フレームが変形することがない。そのため、戸先ゴムの再取り付けの際に、フレームの撓み等を修正する必要がない。したがって、戸先ゴムの再取り付けは容易である。このように、本発明によれば、透明部材の交換が容易な可動式ホーム柵が提供される。また、可動式ホーム柵における透明部材交換を容易にすることができる。その結果、可動式ホーム柵の透明部材交換にかかる工数が低減される。
【図面の簡単な説明】
【００１２】
【図１】本発明の実施の形態１に係る可動式ホーム柵をプラットホームに設置した状態を示す図であって、図１（ａ）は閉扉状態、図１（ｂ）は開扉状態を、それぞれ示している。
【図２】図１に記載の可動式ホーム柵から、戸袋の外装パネルを取り外した状態を示す図であって、図２（ａ）は閉扉状態、図２（ｂ）は開扉状態を、それぞれ示している。
【図３】図１に記載の可動式ホーム柵の扉体の構成を示す図であって、図３（ａ）は扉体の正面図であり、図３（ｂ）は扉体を戸先側から見た側面図であり、図３（ｃ）は扉体を図３（ａ）のＡ−Ａ’線で切断した断面図であり、図３（ｄ）は扉体を図３（ｂ）のＢ−Ｂ’線で切断した断面図である。
【図４】図３に記載の扉体のフレームの構成を示す図であって、図４（ａ）はフレームの正面図であり、図４（ｂ）はフレームを戸先側から見た側面図であり、図４（ｃ）はフレームを図４（ｂ）のＤ−Ｄ’線で切断した断面図であり、図４（ｄ）はフレームを図４（ａ）のＣ−Ｃ’線で切断した断面図である。
【図５】図３に記載の扉体の支持枠の構成を示す図であって、図５（ａ）は支持枠の正面図であり、図５（ｂ）は支持枠を図５（ａ）のＥ−Ｅ’線で切断した断面図である。
【図６】図３に記載の扉体から透明部材を取り外す過程を、（ａ）〜（ｃ）の順に時系列に沿って示す図である。
【図７】本発明の実施の形態２に係る可動式ホーム柵の支持枠の構成を示す図であり、図７（ａ）は支持枠の正面図であり、図７（ｂ）は支持枠を戸先側から見た側面図である。
【図８】本発明の実施の形態２に係る可動式ホーム柵の扉体から透明部材を引き出す過程を示す正面図である。
【図９】本発明の実施の形態３に係る可動式ホーム柵の扉体の構成を示す図であり、図９（ａ）は戸先ゴムと押さえ蓋がフレームに取り付けられた状態、図９（ｂ）はフレームから戸先ゴムが取り外された状態、図９（ｃ）はフレームから押さえ蓋が取り外された状態を、それぞれ示す断面図である。
【図１０】本発明の実施の形態４に係る可動式ホーム柵の扉体の構成を示す図であり、図１０（ａ）は戸先ゴムと金具がフレームに取り付けられた状態を示す断面図であり、図１０（ｂ）は金具の外形図であり、図１０（ｃ）はフレームから戸先ゴムと金具が取り外された状態を示す断面図である。
【図１１】本発明の実施の変形例に係る可動式ホーム柵の扉体の構成を示す図であり、図３（ｄ）に対応する断面図である。
【発明を実施するための形態】
【００１３】
以下、本発明の実施形態に係る可動式ホーム柵を、図面を参照しながら詳細に説明する。なお、各図面においては、同一または同等の部分に同一の符号を付している。
【００１４】
（実施の形態１）
図１（ａ）、（ｂ）は、本発明の実施の形態１に係る可動式ホーム柵１を鉄道駅のプラットホームの床面２に設置した状態をプラットホーム側から見た図である。なお、本明細書においては、プラットホームの長さ方向をＸ軸、上下方向をＹ軸、軌道側からプラットホームに向かう方向、つまり図１において紙面の裏から表に向かう方向をＺ軸とする直交座標系を使用する。
【００１５】
可動式ホーム柵１は、戸袋３と、戸袋３に進退自在に支持される扉体４と、を備える引き戸式の可動式ホーム柵である。なお、戸袋３は、図示しないアンカーボルトによりプラットホームの床面２に固定されている。
【００１６】
プラットホームの床面２には、複数の可動式ホーム柵１が、乗客が列車５に出入りする乗降通路６を挟んで、プラットホームの長さ方向（Ｘ軸方向）に沿って配置される。図１（ａ）に示すように、列車５がプラットホームに停車していないときは、乗降通路６の右側に配置された可動式ホーム柵１の扉体４ａと、乗降通路６の左側に配置された可動式ホーム柵１の扉体４ｂとが、乗降通路６の概ね中央で互いに当接し、乗降通路６を閉鎖する。
【００１７】
図１（ｂ）に示すように、列車５が停車しているときは、可動式ホーム柵１の扉体４ａ、４ｂはそれぞれ戸袋３の中に収容され、プラットホームの乗降通路６が開放され、乗客の乗降が可能になる。そして、乗客の乗降が完了すると、扉体４ａ、４ｂはそれぞれ戸袋３から引き出され、互いに当接し、乗降通路６は再び閉鎖される。つまり、可動式ホーム柵１は図１（ａ）に示す状態に戻る。このような可動式ホーム柵１の開閉動作は、図示しない制御装置により自動的に行われる。
【００１８】
次に、図２（ａ）、（ｂ）を参照して、可動式ホーム柵１の戸袋３と扉体４の構成を説明する。なお、図２（ａ）、（ｂ）においては、戸袋３の外装パネルを取り除いて、戸袋３の内部構造を示している。
【００１９】
図２（ａ）に示すように、戸袋３は、鋼製の上部フレーム３ａ、下部フレーム３ｂ、支柱３ｃ、支柱３ｄを備えている。下部フレーム３ｂは、図示しないアンカーボルトによってプラットホームの床面２に固定され、下部フレーム３ｂの戸尻側及び戸先側の端部には、支柱３ｃと支柱３ｄが、それぞれ立設され、溶接によって固定されている。上部フレーム３ａは、下部フレーム３ｂに平行に配置されて、戸尻側及び戸先側の端部において、それぞれ、支柱３ｃと支柱３ｄの上端に連結され、溶接によって固定されている。なお、支柱３ｄには、Ｘ軸方向に貫通する開口部３ｅが設けられていて、扉体４は開口部３ｅを通って戸袋３に出入りする。
【００２０】
上部フレーム３ａの下面には上部案内レール３ｆが、下部フレーム３ｂの上面には下部案内レール３ｇが、それぞれ溶接により固定されている。上部案内レール３ｆ及び下部案内レール３ｇは、いずれもＸ軸方向に伸びている。扉体４の戸尻側の端部の上部には戸車７が、下部に戸車８が、それぞれ取り付けられている。戸車７は上部案内レール３ｆに当接し、上部案内レール３ｆに沿って転動する。戸車８は下部案内レール３ｇと当接し、下部案内レール３ｇに沿って転動する。このように構成されているので、戸車７、８が上部案内レール３ｆ、下部案内レール３ｇに沿って転動すると、扉体４はＸ軸方向に移動する。つまり、扉体４は上部案内レール３ｆ、下部案内レール３ｇに案内されて、戸袋３に出入りする。
【００２１】
可動式ホーム柵１は、進退駆動機構９を備えている。進退駆動機構９は、駆動プーリ９ａと従動プーリ９ｂ、及び駆動プーリ９ａと従動プーリ９ｂの間に掛け回されたベルト９ｃを備える。駆動プーリ９ａは図示しないモータで駆動されて回転する。ベルト９ｃは駆動プーリ９ａの回転方向に応じて、駆動プーリ９ａと従動プーリ９ｂの間を時計回り又は反時計回りに移動する。また、ベルト９ｃはベルトクランプ９ｄを介して扉体４に連結されていて、ベルト９ｃが移動すると扉体４はベルト９ｃと同じ方向に移動する。図２（ａ）に示す状態において、ベルト９ｃが駆動プーリ９ａと従動プーリ９ｂの間を時計回りに移動するように進退駆動機構９を動作させると、扉体４は図の右方向に移動して、戸袋３の中にひき込まれる。つまり、図２（ｂ）に示す状態になる。また、図２（ｂ）に示す状態において、進退駆動機構９を逆方向に動作させると、扉体４は、図２（ａ）に示すように、扉体４は戸袋３の外に引き出される。このように、扉体４は進退駆動機構９で駆動されて、戸袋３に対して進退する。
【００２２】
なお、上記においては、戸袋３の左側に引き出される扉体４ａで扉体４を代表させて説明した。扉体４ｂ及び扉体４ｂに関係する戸袋３内の機構は、扉体４ａと同一なので、本明細書では扉体４ｂについての説明は省略する。
【００２３】
次に、図３（ａ）〜（ｄ）を参照して、扉体４の詳細な構成について説明する。
【００２４】
図３（ａ）に示すように、扉体４は、フレーム１１を備える。フレーム１１は扉体４の外郭を構成する額縁形又は「ロ」字形の枠体であって、その中央部に窓部１１ｆが形成されている。フレーム１１の内部には支持枠１４に支持された透明部材１２が取り付けられている。支持枠１４も額縁形又は「ロ」字形の枠体であって、その中央部に窓部１４ｆが形成されている。このように、フレーム１１の窓部１１ｆは、支持枠１４と透明部材１２によって塞がれ、支持枠１４の窓部１４ｆは透明部材１２によって塞がれている。扉体４はこのように構成されているので、透明部材１２を通して、プラットホーム側から軌道側を見通すことができる。
【００２５】
図３（ｂ）に示すように、フレーム１１の戸先側の端部には第１の挿入口１１ｅが開口されていて、第１の挿入口１１ｅには戸先ゴム１３が挿入されている。戸先ゴム１３は、可動式ホーム柵１が閉扉するときに相手方の扉体４の戸先ゴム１３と当接して、衝突の衝撃を緩和する緩衝部材である。そのため、戸先ゴム１３は、図３（ａ）に示すように、戸先ゴム１３の戸先側の端部がフレーム１１の戸先側の端部よりも戸先側に位置するようにフレーム１１に取り付けられる。なお、戸先ゴム１３の戸尻側の端部の外形寸法は、第１の挿入口１１ｅの内法寸法よりも大きめに形成されていて、戸先ゴム１３を第１の挿入口１１ｅに押し込むと、端部は変形する。第１の挿入口１１ｅ内に挿入された端部は元の大きさに戻ろうとするから、第１の挿入口１１ｅの内面を押圧する。この押圧力と、戸先ゴム１３の端部と第１の挿入口１１ｅの間に生じる摩擦力によって、戸先ゴム１３はフレーム１１に固定される。
【００２６】
なお、戸先ゴム１３の戸尻側の端部の外形寸法と第１の挿入口１１ｅの内法寸法との差異は、戸先ゴム１３自身の弾性を勘案して、作業者による戸先ゴム１３の着脱が可能であって、戸先ゴム１３は扉体４に確実に保持される値を選択する。例えば、戸先ゴム１３が硬い場合に、寸法の差異を大きくすれば、戸先ゴム１３の着脱に大きな力を要するので、寸法の差異を小さめに選ぶ必要がある。逆に、戸先ゴム１３が柔らかい場合には、十分な保持力（押圧力と摩擦力）が得られるように、寸法の差異を大きめに選ぶ必要がある。
【００２７】
また図３（ｃ）に示すように、支持枠１４は、周縁部においてフレーム１１と嵌合して、フレーム１１に保持される。また、フレーム１１の第１の挿入口１１ｅの内法寸法は、支持枠１４の外形寸法より大きくされていて、戸先ゴム１３を取り外して、第１の挿入口１１ｅを開放すると、第１の挿入口１１ｅを通して、支持枠１４をフレーム１１の外に引き出すことができる。あるいは、第１の挿入口１１ｅを通して、支持枠１４をフレーム１１の中に引き入れることができる。
【００２８】
また図３（ｄ）に示すように、戸先ゴム１３の戸尻側の端部を第１の挿入口１１ｅに挿入して、戸先ゴム１３をフレーム１１に固定すると、戸先ゴム１３の戸尻側の端部は支持枠１４の戸先側の端部と当接する。戸先ゴム１３が支持枠１４の戸先側の端部と当接すると、支持枠１４は戸先ゴム１３に押されて戸尻側に移動し、支持枠１４の戸尻側の端部はフレーム１１に当接する。その結果、支持枠１４は戸先ゴム１３とフレーム１１の間に挟持される。このように、戸先ゴム１３の端部を第１の挿入口１１ｅに挿入して、戸先ゴム１３をフレーム１１に固定すると、支持枠１４はフレーム１１に固定される。
【００２９】
次に、図４を参照してフレーム１１の詳細な構成を説明する。図４（ａ）に示すように、フレーム１１は、上部フレーム１１ａ、上部フレーム１１ａに平行に設けられた下部フレーム１１ｂ、及び上部フレーム１１ａと下部フレーム１１ｂを連結する支柱１１ｃ、１１ｄを備えている。支柱１１ｃはフレーム１１の戸尻側に配置されて、上部フレーム１１ａの戸尻側の端部と下部フレーム１１ｂの戸尻側の端部とを連結している。支柱１１ｄはフレーム１１の戸尻側に配置されて、上部フレーム１１ａの戸先側の端部と下部フレーム１１ｂの戸先側の端部とを連結している。このように、フレーム１１は、中央部に窓部１１ｆを備える額縁形又は「ロ」字形の枠体を構成している。
【００３０】
図４（ｂ）及び図４（ｃ）に示すように、第１の挿入口１１ｅは、支柱１１ｄをＸ軸方向に貫通している。
【００３１】
図４（ｄ）に示すように、上部フレーム１１ａ及び下部フレーム１１ｂは、横断面において、溝形をなす凹部１１ｇを備えている。第１の挿入口１１ｅを経由してフレーム１１内に挿入された支持枠１４はこの凹部１１ｇに案内されて、戸尻側に移動する。支持枠１４をフレーム１１から引き出す際にも、支持枠１４はこの凹部１１ｇに案内されて、戸先側に移動する。また、図示を省略するが、支柱１１ｃも、横断面（ＸＺ平面）において、溝形をなす凹部を備えていて、フレーム１１内に挿入された支持枠１４の戸尻側の端部はこの凹部と嵌合する。
【００３２】
なお、フレーム１１の素材は特に限定されないが、例えば、アルミニウム合金等で構成される。上部フレーム１１ａ、下部フレーム１１ｂ、及び支柱１１ｃ、１１ｄはそれぞれ別個に製造し、これらを互いに溶接等によって結合して、フレーム１１を構成している。
【００３３】
次に、図５（ａ）と図５（ｂ）を参照して、支持枠１４の詳細な構成を説明する。図５（ａ）に示すように、支持枠１４は、上部支持枠１４ａと下部支持枠１４ｂを備え、上部支持枠１４ａと下部支持枠１４ｂは支柱１４ｃ、１４ｄによって、連結されている。その結果、支持枠１４は、中央部に窓部１４ｆを備える額縁形又は「ロ」字形の枠体を構成している。また、上部支持枠１４ａと下部支持枠１４ｂと支柱１４ｃは互いに固定されている。一方、支柱１４ｄは、上部支持枠１４ａと下部支持枠１４ｂに対して、例えば、ネジ等の着脱可能な締結手段で結合されている。なお、支持枠１４の素材は特に限定されないが、例えば、アルミニウム合金等が使用される。
【００３４】
図５（ｂ）に示すように、上部支持枠１４ａ、下部支持枠１４ｂはいずれも横断面（ＹＺ平面）において溝形をなす凹部１４ｇを備えている。図示を省略するが、支柱１４ｃ、支柱１４ｄも、横断面（ＸＺ平面）において溝形をなす凹部を備えている。透明部材１２は、その周縁部において、これらと嵌合して、支持枠１４に保持される。なお、透明部材１２の着脱は、支柱１４ｄを支持枠１４の他の部分から取り外して行う。
【００３５】
次に、図６を参照して、可動式ホーム柵１における透明部材１２の交換方法を説明する。
【００３６】
可動式ホーム柵１における透明部材１２の交換に当たっては、まず、図６（ａ）に示すように、フレーム１１に取り付けられた戸先ゴム１３を戸先方向に引き抜いて、取り外す。戸先ゴム１３をフレーム１１から取り外すと、第１の挿入口１１ｅが開口されるので、フレーム１１から、支持枠１４を引き抜くことが可能になる。
【００３７】
次に、図６（ｂ）に示すように、支持枠１４を戸先側に向かってスライドさせて、支持枠１４を第１の挿入口１１ｅを通してフレーム１１の外部に引き抜く。支持枠１４をフレーム１１の外部に引き抜いたら、支柱１４ｄを支持枠１４の他の部材に結合するネジを取り外して、図６（ｃ）に示すように、支持枠１４から支柱１４ｄを取り外す。これにより支持枠１４から透明部材１２を取り外すことが可能になる。
【００３８】
古い透明部材１２を支持枠１４から取り外したら、新しい透明部材１２を支持枠１４に取り付け、支柱１４ｄを支持枠１４の他の部分と結合する。そして、透明部材１２を取り付けた支持枠１４を、フレーム１１の第１の挿入口１１ｅに挿入して、フレーム１１に取り付ける。最後に、戸先ゴム１３を第１の挿入口１１ｅに戸先側から再び嵌め込むことによって、戸先ゴム１３がフレーム１１に固定され、その結果、支持枠１４と透明部材１２はフレーム１１に固定される。
【００３９】
（実施の形態２）
図７、８を参照して、本発明の実施の形態２に係る可動式ホーム柵１について説明する。実施の形態２に係る可動式ホーム柵１の基本的な構成は、実施の形態１に係る可動式ホーム柵１と同一であるが、支持枠１４をフレーム１１に取り付けたまま、透明部材１２をフレーム１１から引き出せるようにした点で、実施の形態１と異なる。
【００４０】
図７（ａ）に示すように、実施の形態２に係る可動式ホーム柵１の支持枠１４は、支柱１４ｄが上部支持枠１４ａと下部支持枠１４ｂに固定されている。つまり、支柱１４ｄを支持枠１４の他の部材と分離することができない。その代わりに、支持枠１４には、図７（ｂ）に示すように、支柱１４ｄをＸ軸方向に貫く第２の挿入口１４ｅが形成されている。第２の挿入口１４ｅは透明部材１２を出し入れ可能な寸法を備えている。
【００４１】
実施の形態２に係る可動式ホーム柵１において、戸先ゴム１３をフレーム１１から取り外すと支持枠１４の支柱１４ｄの戸先側の端面が、フレーム１１の第１の挿入口１１ｅを通して、フレーム１１の外側に露出する。そのため、支持枠１４の第２の挿入口１４ｅを経由して、支持枠１４の戸先側に引き出された透明部材１２を、さらにフレーム１１の第１の挿入口１１ｅを経由して、フレーム１１の戸先側に引き出すことができる。このように構成されているので、図８に示すように、支持枠１４をフレーム１１に取り付けたまま、透明部材１２だけをフレーム１１の外に引き出すことができる。また、支持枠１４をフレーム１１に取り付けたまま、新しい透明部材１２をフレーム１１の中に挿入することができる。
【００４２】
（実施の形態３）
実施の形態１，２において、戸先ゴム１３の戸尻側の端部が支持枠１４の戸先側の端部と当接する例を例示したが、戸先ゴム１３は支持枠１４と当接しなくても良い。実施の形態３においては、戸先ゴム１３が支持枠１４と当接しない構成を説明する。
【００４３】
実施の形態３に係る可動式ホーム柵１も、基本的な構成は、実施の形態１，２に係る可動式ホーム柵１と同一であるが、第１の挿入口１１ｅに押さえ蓋１５が挿入される点で、前二者と異なる。すなわち、実施の形態３に係る可動式ホーム柵１は、図９（ａ）に示すように、第１の挿入口１１ｅの戸尻側に押さえ蓋１５が挿入されていて、押さえ蓋１５は戸尻側において支持枠１４と当接している。第１の挿入口１１ｅの戸先側には戸先ゴム１３が挿入されている。そして、戸先ゴム１３と押さえ蓋１５は第１の挿入口１１ｅの内部で互いに当接する。なお、フレーム１１の第１の挿入口１１ｅのＹ軸方向の内法寸法は、戸尻側において戸先側より小さくされている。
【００４４】
押さえ蓋１５は、ゴムのような弾性材料で構成されていて、その外形寸法は、第１の挿入口１１ｅの戸尻側の内法寸法よりも大きめに形成されている。そのため、押さえ蓋１５を第１の挿入口１１ｅに挿入すると、押さえ蓋１５は変形し、第１の挿入口１１ｅ内で元の大きさに戻ろうとする。この時の弾性力で押さえ蓋１５は第１の挿入口１１ｅの内面を押圧する。この押圧力と、押さえ蓋１５と第１の挿入口１１ｅの間に生じる摩擦力によって、押さえ蓋１５はフレーム１１に固定される。押さえ蓋１５は支持枠１４と当接しているので、押さえ蓋１５がフレーム１１に固定されると、支持枠１４もフレーム１１に固定される。
【００４５】
なお、実施の形態３に係る可動式ホーム柵１において、透明部材１２を交換する手順は、実施の形態１において説明した手順と基本的に同一である。ただし、図９（ｂ）に示すように、戸先ゴム１３をフレーム１１から取り外した後で、図９（ｃ）に示すように、押さえ蓋１５をフレーム１１から取り外す点で実施の形態１の場合と異なる。また、戸先ゴム１３をフレーム１１に取り付ける前に、押さえ蓋１５をフレーム１１に取り付ける点で実施の形態１の場合と異なる。
【００４６】
（実施の形態４）
支持枠１４をフレーム１１に固定する手段は、戸先ゴム１３（実施の形態１，２）や押さえ蓋１５（実施の形態３）には限定されない。
【００４７】
図１０（ａ）に示した実施の形態４に係る可動式ホーム柵１も、基本的な構成は、実施の形態１〜３に係る可動式ホーム柵１と同一である。また、この可動式ホーム柵１は、フレーム１１の第１の挿入口１１ｅのＹ軸方向の内法寸法が、戸先側において戸尻側より大きくされていて、戸先側と戸尻側の中間に段差が設けられている点で実施の形態３に係る可動式ホーム柵１と共通する。しかしながら、この可動式ホーム柵１は、押さえ蓋１５の代わりに金具１６を備える点で、実施の形態３に係る可動式ホーム柵１と相違する。
【００４８】
図１０（ａ）及び図１０（ｂ）に示すように、金具１６は「Ｌ」字形の金属部品である。金具１６の「Ｌ」字の各辺はそれぞれ図示しないボルトで、フレーム１１と支持枠１４にそれぞれ結合されている。その結果、支持枠１４は金具１６を介して、フレーム１１に固定される。
【００４９】
なお、実施の形態４に係る可動式ホーム柵１において、透明部材１２を交換する手順は、実施の形態１において説明した手順と基本的に同一である。ただし、図１０（ｃ）に示す様に、戸先ゴム１３をフレーム１１から取り外した後で、金具１６を取り外して、フレーム１１と支持枠１４の結合を解除する点で実施の形態１の場合と異なる。また、戸先ゴム１３をフレーム１１に取り付ける前に、金具１６を使ってフレーム１１と支持枠１４を結合する点で実施の形態１の場合と異なる。
【００５０】
以上説明したように、本発明によれば、扉体４から戸先ゴム１３を取り外すだけで、透明部材１２を交換できる。また、戸先ゴム１３は扉体４の形状の維持に直接関係しない部材であり、扉体４から戸先ゴム１３を取り外しても、扉体４の形状は維持されるので、透明部材１２の交換後の戸先ゴム１３の装着が容易である。そのため、透明部材１２の交換を簡易に実施できる。
【００５１】
なお、上記の実施形態は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また特許請求の範囲に記載した発明と均等な発明も本発明に含まれる。
【００５２】
例えば、上記実施形態において、透明部材１２が支持枠１４に支持されてフレーム１１に取り付けられる例を示したが、支持枠１４に任意的構成要素であって、請求項１に係る発明の技術的範囲は支持枠１４を備える可動式ホーム柵１には限定されない。例えば、図１１に示すように、透明部材１２をフレーム１１に直接取り付けるようにしても良い。
【００５３】
上記実施形態においては、透明部材１２を支持枠１４から取り外して、透明部材１２だけを交換する例を示したが、本発明に係る可動式ホーム柵１は、このようなものには限定されない。例えば、透明部材１２と支持枠１４が分離不能に結合されていて、透明部材１２と支持枠１４を一括して交換するものであっても良い。
【００５４】
上記実施形態においては、透明部材１２を１枚だけ備える可動式ホーム柵１を例示したが、本発明に係る可動式ホーム柵１は、このようなものには限定されない。複数の透明部材１２を備えていても良い。例えば、複数枚の透明部材１２がＺ軸方向に積層されて、あるいはＺ軸方向に間隔を空けて、扉体４に取り付けられていても良い。あるいは複数枚の透明部材１２が単一の支持枠１４に支持されていても良い。
【００５５】
また、透明部材１２は素材によっては限定されない。透明部材１２の素材は、例えば、ガラスであっても良いし、アクリル樹脂やポリカーボネート樹脂であってもよい。また、透明部材１２は無色透明の部材には限定されない。透明部材１２は着色されていても良いし、透明部材１２の光透過率は１００％には限定されない。
【００５６】
戸先ゴム１３の素材は、天然ゴムや狭義の合成ゴムには限定されない。緩衝材として機能する固体材料を任意に選択して使用することができる。また、図示された戸先ゴム１３の形状は例示であって、戸先ゴム１３は図示された形状によっては限定されない。
【００５７】
上記実施形態において、戸先ゴム１３をそれ自身の弾性力でフレーム１１に固定することを例示したが、戸先ゴム１３をフレーム１１に固定する手段は弾性力によるものには限定されない。例えば、弾性力によるものの代わりに、あるいは弾性力によるものに加えて、戸先ゴム１３をフレーム１１にネジ止めするようにしても良い。
【００５８】
上記実施形態において、アルミニウム合金でフレーム１１を構成する例を示したが、フレーム１１を構成する材料は金属系材料には限定されない。非金属材料、例えば、プラスチック系の材料でフレーム１１を構成してもよい。支持枠１４を構成する素材も、アルミニウム合金あるいは金属系材料には限定されない。支持枠１４は、非金属材料、例えば、プラスチック系の材料で構成されてもよい。
【００５９】
上記実施形態において、フレーム１１を上部フレーム１１ａ、下部フレーム１１ｂと２本の支柱１１ｃ，１１ｄで構成する例を示したが、フレーム１１はこのように部品分割されるものには限定されない。フレーム１１の部品分割や部品構成は任意である。支持枠１４の部品分割や部品構成も任意であり、上記実施形態で例示したものには限定されない。
【００６０】
上記実施形態に示された支持枠１４の形態や構造は例示であって、請求項４，５に係る発明の技術的範囲は例示された支持枠１４によっては限定されない。
【符号の説明】
【００６１】
１  可動式ホーム柵、２  プラットホームの床面、３  戸袋、３ａ  上部フレーム、３ｂ  下部フレーム、３ｃ、３ｄ  支柱、３ｅ  開口部、３ｆ  上部案内レール、３ｇ  下部案内レール、４（４ａ、４ｂ）  扉体、５  列車、６  乗降通路、７、８  戸車、９  進退駆動機構、９ａ  駆動プーリ、９ｂ  従動プーリ、９ｃ  ベルト、９ｄ  ベルトクランプ、１１  フレーム、１１ａ  上部フレーム、１１ｂ  下部フレーム、１１ｃ、１１ｄ  支柱、１１ｅ  第１の挿入口、１１ｆ  窓部、１１ｇ  凹部、１２  透明部材、１３  戸先ゴム、１４  支持枠、１４ａ  上部支持枠、１４ｂ  下部支持枠、１４ｃ、１４ｄ  支柱、１４ｅ  第２の挿入口、１４ｆ  窓部、１４ｇ  凹部、１５  押さえ蓋、１６  金具
【図１】
0006628551.tif 000002
【図２】
0006628551.tif 000003
【図３】
0006628551.tif 000004
【図４】
0006628551.tif 000005
【図５】
0006628551.tif 000006
【図６】
0006628551.tif 000007
【図７】
0006628551.tif 000008
【図８】
0006628551.tif 000009
【図９】
0006628551.tif 000010
【図１０】
0006628551.tif 000011
【図１１】
0006628551.tif 000012